(57)【特許請求の範囲】
【請求項１】
交差状態の野縁受（１０）と野縁（２０）とのクリップ（３０）による連結をさらに補強するための野縁受及び野縁の連結補強具であって、
前記クリップ（３０）は折り曲げられることにより前記野縁受（１０）に係止する係止部（３１）と前記野縁（２０）に係合する係合部（３４）とを備えており、
前記野縁（２０）は前記係合部（３４）を係合させる係合リップ（２３）を備えており、補強具本体（４１）及び係止片（４２）とこれらを締結する締結手段（４３）とを備え、補強具本体（４１）は前記野縁受（１０）の上端に係止し少なくともクリップ（３０）の前記係止部（３１）を覆う覆い部（４９）と前記野縁（２０）の上辺に沿う張出部（４７）とこの張出部（４７）に形成され前記締結手段（４３）を貫通させる貫通孔（４７ａ）とを備え、この貫通孔（４７ａ）に挿通した前記締結手段（４３）により前記係合リップ（２３）内に挿入した前記係止片（４２）を前記張出部（４７）に近接させることで、前記補強具本体（４１）を野縁（２０）に近接固定すると共に覆い部（４９）でクリップ（３０）の前記係止片（４２）の連結を補強する野縁受及び野縁の連結補強具。
【請求項２】
前記係止片（４２）が前記締結手段（４３）を中心に回転可能であり、前記野縁（２０）における前記係合リップ（２３）間を通過可能である一方、前記野縁（２０）内で前記締結手段（４３）を中心に回転することにより前記野縁（２０）の側壁に接当するものであることを特徴とする請求項１記載の野縁受及び野縁の連結補強具。
【請求項３】
前記補強具本体（４１）の上辺又は側片に貫通して野縁受（１０）にネジを螺合させる貫通孔（４８ａ，４８ｂ）を有していることを特徴とする請求項１又は２記載の野縁受及び野縁の連結補強具。
【請求項４】
前記補強具本体が前記ハンガーの両側に平行な縦部とこの縦部間を繋ぐ上辺部とを備えていることを特徴とする請求項１〜３のいずれかに記載の野縁受及び野縁の連結補強具。
【請求項５】
請求項１〜４のいずれかに記載の野縁受及び野縁の連結補強具を用いた天井下地補強施工方法であって、前記野縁受（１０）及びクリップ（３０）を前記連結補強具（４０）で覆うと共に前記野縁（２０）を前記係止片（４２）と固定することを特徴とする天井下地補強施工方法。
【発明の詳細な説明】
【技術分野】
【０００１】
本発明は、野縁受及び野縁の連結補強具並びに天井下地補強施工方法に関する。さらに詳しくは、交差状態の野縁受と野縁とのクリップによる連結をさらに補強するための野縁受及び野縁の連結補強具並びにこれを利用した天井下地補強施工方法に関する。
【背景技術】
【０００２】
従来より、特許文献１に示すように、野縁受及び野縁をクリップで連結する施工例が存在していた。
【特許文献１】特願平７−３２４４２５号
【０００３】
そして、地震等による天井変形や脱落の防止のため、野縁受及び野縁のクリップ連結を補強する連結補強の必要性が叫ばれていた。しかし、クリップの係合部の開きを直接的に抑制でき、しかも施工の簡易な野縁受及び野縁の連結補強具並びに天井下地補強施工方法は提唱されていなかった。
【発明の開示】
【発明が解決しようとする課題】
【０００４】
かかる従来の実情に鑑みて、本発明は、クリップの係合部開きを有効に抑制しつつ施工の簡易な野縁受及び野縁の連結補強具並びに天井下地補強施工方法を提供することを目的とする。
【課題を解決するための手段】
【０００５】
上記目的を達成するため、本発明に係る野縁受及び野縁の連結補強具並びに天井下地補強施工方法の特徴は、交差状態の野縁受と野縁とのクリップによる連結をさらに補強するために、前記クリップは折り曲げられることにより前記野縁受に係止する係止部と前記野縁に係合する係合部とを備えており、前記野縁は前記係合部を係合させる係合リップを備えており、補強具本体及び係止片とこれらを締結する締結手段とを備え、補強具本体は前記野縁受の上端に係止し少なくともクリップの前記係止部を覆う覆い部と前記野縁の上辺に沿う張出部とこの張出部に形成され前記締結手段を貫通させる貫通孔とを備え、この貫通孔に挿通した前記締結手段により前記係合リップ内に挿入した前記係止片を前記張出部に近接させることで、前記補強具本体を野縁に近接固定すると共に覆い部でクリップの前記係止片の連結を補強することにある。
【０００６】
また、前記係止片が前記締結手段を中心に回転可能であり、前記野縁における前記係合リップ間を通過可能である一方、前記野縁内で前記締結手段を中心に回転することにより前記野縁の側壁に接当するものであることが望ましい。
【０００７】
さらに、前記補強具本体の上辺又は側片に貫通して野縁受にネジを螺合させる貫通孔を有していることが望ましい。また、前記補強具本体が前記ハンガーの両側に平行な縦部とこの縦部間を繋ぐ上辺部とを備えてもよい。
【０００８】
上記目的を達成するため、本発明に係る天井下地補強施工方法の特徴は、上記いずれかに記載の野縁受及び野縁の連結補強具を用いて、前記野縁受及びクリップを前記連結補強具で覆うと共に前記野縁を前記係止片と固定することにある。
【発明の効果】
【０００９】
上記本発明に係る野縁受及び野縁の連結補強具並びに天井下地補強施工方法の特徴によれば、クリップを補強具で上部から覆い係止片を締結手段により近接固定させるため、簡素な施工でより強固に連結することが可能となった。
【００１０】
本発明の他の目的、構成及び効果については、以下の発明の実施の形態の項から明らかになるであろう。
【発明を実施するための最良の形態】
【００１１】
次に、適宜添付図面を参照しながら、本発明をさらに詳しく説明する。
図１〜３に示すように、本発明に係る天井下地連結補強構造１は、大略、鋼板でロール成形された野縁受１０，野縁２０，クリップ３０及び連結補強具４０よりなる。
【００１２】
野縁受１０はウェブ１１の上下にフランジ１２，１２を有しており、この下に天井ボードを支持するための野縁が取り付けられる。この野縁受１０はスラブから垂下する吊りボルトにハンガーを介して固定され、天井下地連結補強構造１が垂下支持される。
【００１３】
野縁２０は、クリップ３０を介して野縁受１０と交差状態で連結される。この野縁２０は、天井ボードを取り付けるウェブ２１と、その両側から立ち上がる一対のフランジ２２、２２と、後述の係合部３４を係合させる係合リップ２３を備えている。
【００１４】
クリップ３０は折り曲げられることにより野縁受１０に係止する係止部３１と野縁２０に係合する係合部３４とを備えている。係止部３１と係合部３４の間には水平部３２，垂直部３３が介在し、係止部３１，水平部３２の間には複数の減肉部３１ａが形成されて係止部３１の折曲を許容する。連結補強具４０は野縁受１０と野縁２０との間のクリップ３０による連結を補強をさらに補強する。
【００１５】
地震等の衝撃荷重が加わった際にクリップ３０の係止部３１に開き側の変形が生じると、野縁受１０がクリップ３０に対し相対的に移動して天井下地に変形を生じる。係止部３１の変形がさらに増大し、係止部３１が開くと天井脱落の虞が生じる。これを防止するには、係止部３１の開きを防止することが効果的であり、連結補強具４０はその開き防止に役立つ。
【００１６】
連結補強具４０は通常の天井下地構造に対し後施工で取り付けられる。この連結補強具４０は、補強具本体４１及び係止片４２とこれらを螺合により締結する締結手段４３とを備えている。また、補強具本体４１は野縁受１０の上端に係止し少なくともクリップ３０の係止部３１を覆う覆い部４９と野縁２０の上辺に沿う張出部４７とこの張出部４７に形成され締結手段４３を貫通させる長孔４７ａとを備えている。
【００１７】
上記長孔４７ａに挿通した締結手段４３により係合リップ２３内に挿入した係止片４２を張出部４７に近接させることで、補強具本体４１を野縁２０に近接固定すると共に覆い部４９でクリップ３０の係止片４２の連結を補強する。係止片４２は締結手段４３を中心に回転可能であり、野縁２０における係合リップ２３間を通過可能である一方、野縁２０内で締結手段４３を中心に回転することにより野縁２０の側壁に接当する。補強具本体４１は野縁受１０の両側に平行な縦部４４，４６とこの縦部４４，４６間を繋ぐ上辺部４５とを備えている
【００１８】
連結補強具４０の取り付けに際しては、まずクリップ３０の位置で野縁受１０の上側から第一、第二縦部４４，４６でクリップ３０の取り付けられた野縁受１０を挟み込むように下ろし、第一、第二縦部４４，４６間に連結補強具４０の係止部３１，垂直部３３を挟み込む。また、係止片４２の長手方向を野縁２０に一致させて、野縁２０における係合リップ２３間を通過させた後、野縁２０内で締結ボルト４３を回転させることにより野縁２０の側壁に係止片４２の両端を接当させる。さらに締結手段４３を締め上げると、係合リップ２３内に挿入した係止片４２を張出部４７に近接させることで、補強具本体４１を野縁２０に近接固定すると共に覆い部４９でクリップ３０の係止片４２の連結を補強する。この状態で、第二貫通孔４８ｂに上からネジ３ａを貫通させると共にタップをしつつ野縁受１０のフランジ１２に螺合させて、施工は完了する。
【００１９】
施工後は、図４の如く係止部３１、水平部３２、垂直部３３が覆い部４９、すなわち第一、第二縦部４４，４６及び上辺部４５間に挟まれて押圧され、係止部３１の開きが防止される。なお、第二貫通孔４８ｂを使用する替わりに、第一貫通孔４８ａに横からネジ３ｂを貫通させると共にタップをしつつ野縁受１０のウェブ１１に螺合させても構わない。
【００２０】
なお、野縁受１０はチャンネル材に限られず、また、野縁２０、クリップ３０も上述の形状のものに限られるものではなく、本発明の趣旨を逸脱せずに種々の改変が可能である。すなわち、本発明は、地震等の衝撃応力により支持部材が変形して被支持部材を脱落させる可能性のある部分の変形を防止又は抑制する手段を後施工により取り付け可能に構成したものである。
【産業上の利用可能性】
【００２１】
本発明は、野縁受及び野縁の連結補強具並びに天井下地補強施工方法として利用することができる。さらに、天井下地以外のクリップで連結された長尺部材及びリップ付チャンネル部材の連結補強具としても転用が可能である。本発明に係る上述の連結補強具はクリップとは別に単独で用いることも可能である。
【図面の簡単な説明】
【００２２】
【図１】本発明に係る連結補強具を利用した天井下地連結補強構造の斜視図である。
【図２】図１の背面側の斜視図である。
【図３】図１の分解斜視図である。
【図４】図１の縦断面図である。
【符号の説明】
【００２３】
１：天井下地連結補強構造、３ａ、３ｂ：ネジ、１０：野縁受、１１：ウェブ、１２：フランジ、２０：野縁、２１：ウェブ、２２：フランジ、２３：係合リップ、 ３０：クリップ、３１：係止部、３１ａ：減肉部、３２：水平部、３３：垂直部、３４：係合部、４０：連結補強具、４１：補強具本体、４２：係止片、４３：締結ボルト（締結手段）、４４：第一縦部、４５：上辺部、４６：第二縦部、４７：張出部、４７ａ：長孔（貫通孔）、４８ａ〜ｃ：第一〜第三貫通孔、４９：覆い部
【図１】
0004663439.tif 000002
【図２】
0004663439.tif 000003
【図３】
0004663439.tif 000004
【図４】
0004663439.tif 000005